(57)【特許請求の範囲】
【請求項１】
回転体を回転させることにより所定出力が得られると共に、前記回転体に設けられたクリック溝に、板バネの弾性アームが弾接してクリック感触が得られる回転型電子部品であって、前記板バネは上側部材に重ね合わされて配され、前記回転体が回転したときに、前記板バネが前記上側部材の下面に衝突して衝突音が発生する構成としたことを特徴とする回転型電子部品。
【請求項２】
前記板バネの弾性アームがクリック溝どうしの間の位置に乗り上げていく際に、前記板バネの平板部が前記上側部材下面に対し下方側に離れ、前記板バネの弾性アームが次のクリック溝に嵌まり込む際に、前記板バネの平板部が前記上側部材の下面に衝突して衝突音が発生する構成とした請求項１記載の回転型電子部品。
【請求項３】
前記板バネは、前記板バネの平板部に設けられた貫通孔に前記上側部材に設けられた突起部が挿入されて、回転方向に位置規制されると共に、上下方向には固定されていない請求項１記載の回転型電子部品。
【発明の詳細な説明】
【技術分野】
【０００１】
本発明は、各種電子機器の入力操作部を構成する際に用いられる回転型電子部品に関するものである。
【背景技術】
【０００２】
近年、各種電子機器の入力操作部には、回転型電子部品が多く搭載されている。以下、従来の回転型電子部品について図面を用いて説明する。
【０００３】
図４は従来の回転型電子部品の断面図、図５は同分解斜視図、図６は同要部である板バネと上ケースとの組み合わせ状態を説明する斜視図である。
【０００４】
同図において、１は、上方開口の箱型に絶縁樹脂から形成された下ケースで、その凹部の内底面には、インサート成形により複数の弾性接点３が固定されている。
【０００５】
５は、円柱状の操作軸６の下方に略円形のフランジ部８を一体に備えた絶縁樹脂製の回転体で、下ケース１の凹部内底面で回転可能に支持されて配され、フランジ部８は凹部内に収容されている。
【０００６】
回転体５のフランジ部８の下面には、所定パターンで形成された導電金属板からなる回転接点板１５が固定されており、前記複数の弾性接点３は回転接点板１５に弾接可能になっている。また、フランジ部８の上面には、放射状にクリック溝１０が構成されている。
【０００７】
下ケース１の上方には、上ケース２０が載せられている。上ケース２０は、中央に上方に円筒状で突出した軸受部２１を有し、回転体５の操作軸６は、軸受部２１内に挿通されてその内周面で回転可能に保持されている。２５は、上ケース２０の上方から配された金属カバーで、脚部が下ケース１底面にカシメられることにより、上ケース２０と下ケース１は一体化されている。
【０００８】
３０は、上面視略リング状に形成されたクリック感触生成用の板バネで、各々円弧状に伸ばされた弾性アーム３１の中央位置に、下方凸形のＵ字状に曲げ形成されたダボ３２を備えている。
【０００９】
板バネ３０は、弾性アーム３１どうしの間が平板部３３に形成されており、平板部３３には貫通孔３４がそれぞれ設けられている。そして、各貫通孔３４内に、上ケース２０下面に設けられたカシメ突起２２を各々挿入させつつ二つの平板部３３の上面を上ケース２０の下面に重ね合わせ、それぞれのカシメ突起２２下端をカシメ込むことにより板バネ３０は上ケース２０にしっかり固定されている。その固定状態で、ダボ３２の下面はクリック溝１０に弾接している。
【００１０】
以上のように構成された従来の回転型電子部品は、操作軸６を回転操作して回転体５を回転させると、フランジ部８に固定された回転接点板１５が複数の弾性接点３に対し相対的に回転移動して所定の出力が得られる。また、それと同時に、板バネ３０のダボ３２がクリック溝１０どうしの間の位置を乗り越え次のクリック溝１０に嵌まっていくことにより所定のクリック感触が得られるものであった。
【００１１】
なお、この出願の発明に関連する先行技術文献情報としては、例えば、特許文献１、特許文献２が知られている。
【先行技術文献】
【特許文献】
【００１２】
【特許文献１】特開２００７−１９４００８号公報
【特許文献２】特開２００６−７９９６６号公報
【発明の概要】
【発明が解決しようとする課題】
【００１３】
従来の回転型電子部品は、操作時にクリック感触が得られて良好に操作できるものであったが、セットメーカからは、さらに使い易いものへの開発要請が根強くあり、特に、クリック感触以外にも操作状態が同時に確認できる仕様のものへの開発要請が高まっていた。
【００１４】
本発明は、このような従来の課題を解決するものであり、操作時に、クリック感触と同時に音も発生するように構成した回転型電子部品を提供することを目的とする。
【課題を解決するための手段】
【００１５】
前記目的を達成するために本発明は、以下の構成を有する。
【００１６】
本発明は、回転体を回転させることにより所定出力が得られると共に、前記回転体に設けられたクリック溝に、板バネの弾性アームが弾接してクリック感触が得られる回転型電子部品であって、前記板バネは上側部材に重ね合わされて配され、前記回転体が回転したときに、前記板バネが前記上側部材の下面に衝突して衝突音が発生する構成としたことを特徴とする回転型電子部品としたものである。
【００１７】
これによれば、簡易な構成で、操作時に、クリック感触と同時に音も発生するものが得られるという作用を得られる。
【発明の効果】
【００１８】
以上のように本発明によれば、操作時に、クリック感触と同時に音も発生する構成の回転型電子部品を提供できるという有利な効果が得られる。
【図面の簡単な説明】
【００１９】
【図１】本発明の一実施の形態による回転型電子部品の断面図
【図２】同分解斜視図
【図３】同要部である板バネと上ケースとの組み合わせ状態を説明する斜視図
【図４】従来の回転型電子部品の断面図
【図５】同分解斜視図
【図６】同要部である板バネと上ケースとの組み合わせ状態を説明する斜視図
【発明を実施するための形態】
【００２０】
以下、本発明の実施の形態について、図１〜図３を用いて説明する。なお、従来の技術の項で説明した構成と同一構成の部分には同一符号を付して、詳細な説明や図示などを省略する。
【００２１】
（実施の形態）
図１は本発明の一実施の形態による回転型電子部品の断面図、図２は同分解斜視図、図３は同要部である板バネと上ケースとの組み合わせ状態を説明する斜視図である。
【００２２】
同図に示すように、上方開口の箱型に形成された絶縁樹脂からなる下ケース１の凹部の内底面には、インサート成形によって複数の弾性接点３が固定されている。円柱状の操作軸６を備えた回転体５は、凹部内底面で回転可能に支持されて配され、フランジ部８は下ケース１の凹部内に収容されている。前記複数の弾性接点３は、フランジ部８下面に固定された回転接点板１５に弾接可能になっている。
【００２３】
下ケース１の上方には、上方に突出した円筒状の軸受部５１を中央位置に備えた上ケース５０が載せられ、前記操作軸６は前記軸受部５１に挿通されてその内周面で回転可能に保持されている。なお、この上ケース５０が上側部材としてなるものである。そして、上ケース５０の上方から金属カバー２５が配され、その脚部が下ケース１底面にカシメられることによって上ケース５０と下ケース１は一体化されている。
【００２４】
６０は、上面視略リング状に形成された板バネで、対向位置となる二箇所に平板部６１を有し、平板部６１から各々円弧状に伸ばされた弾性アーム６３は下方に向けて傾斜状態に曲げられると共に、各弾性アーム６３の中央位置には下方凸形のＵ字状に曲げ形成されたダボ６４が形成されている。弾性アーム６３のダボ６４どうしは対向位置に設けられている。そして、各平板部６１には、貫通孔６２が設けられている。なお、弾性アーム６３どうしとしては、ダボ６４形状などを含めて同一形状で同一バネ力のものに形成している。また平板部６１どうしも同一形状のものとしている。そして、この板バネ６０は、一枚の弾性金属製の板材から、前記形状に応じて打ち抜き加工し、また所定の曲げ加工を施して前記形状に形成している。なお、以上までの板バネ形状のものであれば、従来品で用いていたものの転用も可能である。しかし、そのときには後述する当該構成に見合うバネ力の設定条件などを充足しておかなければならない。そして、当該構成で用いた板バネ６０は、そのバネ力の設定条件などを満たしたものとしていると共に、さらに、平板部６１の外縁のそれぞれに、上方に曲げ形成されて構成された回転規制用の上方曲げ部６５を備えさせたものとしている。
【００２５】
一方、上ケース５０の下面側には、各貫通孔６２に挿通される二つの突起部５３が下方に突出形成され、また、各上方曲げ部６５を挿入させるための上方に窪んだ二つの穴部５５が設けられている。
【００２６】
そして、板バネ６０は、各上方曲げ部６５を、対応する各々の穴部５５に挿入させ、また、各貫通孔６２に、対応する突起部５３がそれぞれ挿入されて配され、各弾性アーム６３が若干撓んだ状態で、ダボ６４のそれぞれは回転体５のフランジ部８上面に放射状に設けられたクリック溝１０に嵌まり込んでいる。
【００２７】
ここに、板バネ６０は、従来品のように突起部５３をカシメ込むことなく、各弾性アーム６３からの力で、各平板部６１の上面が上ケース５０の下面に弾接状態になっているだけであって、各平板部６１を上ケース５０に固定していない構成としている。このように、板バネ６０の各平板部６１を固定させていない構成としているため、板バネ６０の回転規制を行う必要が生じ、貫通孔６２に突起部５３を挿入させ、さらに上方曲げ部６５を穴部５５に挿入させた構成としている。なお、板バネ６０の回転規制を行う詳細構成としては、上述した一方のみの構成を用いたものとしてもよく、また、それら以外の構成で板バネの回転規制がなされるもの等であってもよい。
【００２８】
さらに、当該構成における板バネ６０は、平板部６１において各上方曲げ部６５の両横それぞれに隣接し同一面で径方向の外側に突出する外方突出部６７を設けたものとしている。そして、上ケース５０は、外方突出部６７に応じた両横位置のそれぞれに所定高さの下方段部を備え、さらに、その下方段部の下面から下方に突出する抜け止め用突起５７を各々設けたものとしている。これらは、生産性を向上させるために設けたものである。つまり、上ケース５０を裏返した状態で、板バネ６０を載せ、その後平板部６１が固定状態にならないように、抜け止め用突起５７を緩く内側に倒し込んで、板バネ６０は固定されていないが抜け止めがされている一体状態の仕掛品に形成した後、下ケース１などと組み合わせて完成させるようにするためのものである。なお、製品完成後に、動作中を含めて、倒し込んだ抜け止め用突起５７に板バネ６０が接触することがないように、下方段部の高さ設定などをしておいたり、倒した抜け止め用突起５７の状態管理を十分に行うことは重要である。
【００２９】
以上のように当該実施の形態による回転型電子部品は構成され、続いて動作状態について説明する。
【００３０】
上方に突出している操作軸６を回転操作すると、回転体５が回転し、フランジ部８に固定された回転接点板１５が複数の弾性接点３に対し相対的に回転移動して所定の出力が得られる。また、それと同時に、回転方向に移動規制をなされている板バネ６０は、それぞれのダボ６４が、クリック溝１０どうしの間を乗り越え次のクリック溝１０に嵌まっていくことにより、所定のクリック感触が明確に得られる。
【００３１】
ここで、前述した板バネ６０のバネ力設定などについて説明する。前記動作時において、板バネ６０の各ダボ６４がクリック溝１０どうしの間の位置に乗り上げていく際、二つの弾性アーム６３は同じ状態で上方に撓んでいく。前記のように弾性アーム６３が撓んでいく際、それと同時に弾性アーム６３からの力の作用で、固定されていない各平板部６１が部分的に上ケース５０の下面から下方側に離れていく状態となるように、前記弾性アーム６３のバネ力設定をしている。また、平板部６１の形状設定も、その状態への変移が少しでも補助されるように、上方曲げ部６５と外方突出部６７との間を少し窪ませた外形形状にしていると共に、板バネ６０に用いる材厚も前記状態に変移可能なように適宜選択して使用している。なお、上方曲げ部６５を有していない形状のものであれば、各平板部６１の貫通孔６２が設けられている部分は実質的に細幅形状のものに等価となり、動作中の平板部６１の変移度合いが増して好ましく、また前記形状以外の細幅部分が形成されていてもよい。なお、二つの弾性アーム６３は同一のものとしておくと平板部６１の変移度合いが増して好ましいが、それのみに限定はされない。
【００３２】
そして、弾性アーム６３が上方に撓むにつれて、各平板部６１は部分的に上ケース５０の下面から下方側に離れ、その後、弾性アーム６３のダボ６４が、隣り合う次のクリック溝１０に嵌まる際に、弾性アーム６３の撓みが急激に解除され、それに応じて各平板部６１が上ケース５０の下面に元の弾接状態に急激に戻る動作をする。そのとき、各平板部６１が上ケース５０の下面に衝突して衝突音が発生する。なお、前記衝突音の大きさや音質は、板バネ６０や上ケース５０の形状、材質などによっても左右される。このため、所望の音が得られるように、それらの形状、材質などを適宜設定しておくことは重要である。
【００３３】
そして、弾性アーム６３を二つ有した板バネ６０であれば、平板部６１毎の変移量も大きく、衝突音も大きいものになり好ましいが、二つの弾性アームの内の一方のみにクリック溝１０に嵌まり込むダボが設けられており、他方は平坦面形状に形成されてフランジ部８上などを弾接摺動するのみのもの等であってもよい。
【００３４】
以上のように、当該構成のものは、操作時にクリック感触が得られ、それと同時に、音も発生する回転型電子部品に実現できる。そして、前記の音としてもクリック位置毎に発生される、つまり操作感触と同期した状態で音の発生がなされるものにできるため、操作感触と音の両者で操作状態が違和感無く認識できるものに実現できる。
【００３５】
なお、前記には固定状態の弾性接点３と回転接点板１５で構成された回転接点部構成のものを例として説明したが、その他の回転接点部構成を備えたものであってもよい。例えば、刷子や接触片が回転体の下面に固定され、その刷子や接触片が下ケースの内底面に配された素子上や導電パターン上を弾接摺動するものや、回転体に磁石が配され、回転に応じて発生する磁気変化を磁気検出素子で検出する非接触タイプのものであってもよい。同様に、光を用いた構成のものであってもよい。
【００３６】
また、プッシュスイッチ付の構造のものにも、本発明による構成思想を適用してもよい。
【００３７】
以上の説明から判るように、本発明では、回転体、板バネ、上側部材を必須とするのみのため、単体完成品としてなる回転型電子部品以外でも実施が可能である。すなわち、下ケースの代わりに配線基板などを配した構成としてもよい。また、上側部材としても、セットの筐体などを用いた構成などとしてもよい。さらに、板バネの平板部を回転体側に設置するように構成してもよい。
【産業上の利用可能性】
【００３８】
本発明による回転型電子部品は、操作時に、クリック感触と同時に音も発生する構成のものに実現でき、各種電子機器の入力操作部を構成する際等に有用である。
【符号の説明】
【００３９】
１  下ケース
３  弾性接点
５  回転体
６  操作軸
８  フランジ部
１０  クリック溝
１５  回転接点板
２５  金属カバー
５０  上ケース
５１  軸受部
５３  突起部
５５  穴部
５７  抜け止め用突起
６０  板バネ
６１  平板部
６２  貫通孔
６３  弾性アーム
６４  ダボ
６５  上方曲げ部
６７  外方突出部
【図１】
0005446801.tif 000002
【図２】
0005446801.tif 000003
【図３】
0005446801.tif 000004
【図４】
0005446801.tif 000005
【図５】
0005446801.tif 000006
【図６】
0005446801.tif 000007